(57)【特許請求の範囲】
【請求項１】
ドラムと該ドラムを回転自在に軸承する固定軸とを備えた手動式巻取り装置を、シャッターカーテンが巻装され、ドラムの一端部に電動モータが相対回転自在に内装された電動式巻取り装置に取換えて、手動式から電動式に変更した開閉装置において、前記電動式巻取り装置のドラムの左右方向一端から突出する電動モータユニットの一端側部を、固定軸支持部が形成された手動式巻取り装置用の支持ブラケットに、該固定軸支持部に沿って配される脚片を備えた連結部材を介して支持するにあたり、該脚片を、ドラムに巻装されたシャッターカーテンに干渉することがないようドラムの外径よりも内側に位置して設けられたものとしてドラムの外径からはみ出す部分がないものとし、前記シャッターカーテンを、電動モータユニットのドラムから突出する一端側部を越えて支持ブラケット側に突出するように構成した建築用開閉装置における巻取り装置。
【請求項２】
連結部材は、電動モータの一端側面に固定され、固定軸支持部に沿う脚片が形成された第一連結部材と、支持ブラケットに固定され、固定軸支持部に沿う脚片が形成される第二連結部材とで構成され、これら連結部材は、各脚片同士が一体化手段を介して固定軸支持部に一体化されている請求項１に記載の建築用開閉装置における巻取り装置。
【請求項３】
連結部材は、支持ブラケットに固定され、固定軸支持部に沿って配される脚片と、支持ブラケットのブラケット面と平行で、かつ、支持ブラケットに形成される固定軸支持部の他端側に位置するベース片と、電動モータの一端側部に回り止め状に嵌着するモータ固定片とを備えて構成されている請求項１に記載の建築用開閉装置における巻取り装置。
【請求項４】
連結部材は、固定軸支持部に嵌合支持される軸部が形成されている請求項３に記載の建築用開閉装置における巻取り装置。
【発明の詳細な説明】
【技術分野】
【０００１】
本発明は、建築物の開口部に設けられる建築用開閉装置における巻取り装置の技術分野に属するものである。
【背景技術】
【０００２】
一般に、この種建築用開閉装置のなかには、開口部を開閉する開閉体を例えばシャッターカーテンとした所謂シャッター装置があり、このものでは、シャッターカーテンを巻装する巻取り装置を開口部上方に設け、巻取り装置の正逆回動に伴いシャッターカーテンが開口部の開閉を行うようにしている。このようなものにおいて、シャッターカーテンの開閉作動を手動で行う手動式のシャッター装置では、巻取り装置を、固定軸と、該固定軸に軸承されるドラムとで構成し、該ドラムに連結されたシャッターカーテンを直接把持して手動操作するように構成されている。この場合に、手動式巻取り装置は、固定軸の左右両端部を躯体開口部上方に設けられた左右一対の支持ブラケットに固定することで躯体側への支持がなされており、支持ブラケットは、左右方向内方に突出するＵ字形の固定軸支持部が形成されたものになっている。
一方、巻取り装置を電動モータの駆動力により回動させる構成とし、シャッターカーテンが自動的に開閉作動するようにした電動式のシャッター装置では、電動式巻取り装置として、ドラムの一端部に電動モータを内装することでコンパクト化を図るように構成したものがある。この場合では、電動式巻取り装置の一端部は、ドラム端部から外部に突出する電動モータを躯体側の支持ブラケットに直接固定支持するように構成されており、電動式巻取り装置に対応する支持ブラケットは、前記手動式巻取り装置に対応する固定軸支持部が形成された支持ブラケットとは基本的に異なる形状、構成のものとなっている。このため、手動式シャッター装置が既設されているところに、電動式シャッター装置に取換える場合では、支持ブラケットやガイドレール等の部材を付換えするような大がかりな工事、作業が必要となり、問題がある。
【０００３】
その改善策として、従来、電動式巻取り装置のドラムから突出する電動モータの一端側面と支持ブラケットとの間に、固定軸支持部に沿って配される脚片を備えた連結部材を介装し、支持ブラケットに設けられている固定軸支持部が邪魔にならない状態で電動式巻取り装置を支持ブラケットに設けられるように構成し、支持ブラケットの付換え工事が不要になるようにしたものが提唱されている。
【先行技術文献】
【特許文献】
【０００４】
【特許文献１】特開２００４−２５７１６７号
【発明の概要】
【発明が解決しようとする課題】
【０００５】
本発明は、上記の如き実情に鑑みこれらの課題を解決することを目的として創作されたものであって、請求項１の発明は、ドラムと該ドラムを回転自在に軸承する固定軸とを備えた手動式巻取り装置を、シャッターカーテンが巻装され、ドラムの一端部に電動モータが相対回転自在に内装された電動式巻取り装置に取換えて、手動式から電動式に変更した開閉装置において、前記電動式巻取り装置のドラムの左右方向一端から突出する電動モータユニットの一端側部を、固定軸支持部が形成された手動式巻取り装置用の支持ブラケットに、該固定軸支持部に沿って配される脚片を備えた連結部材を介して支持するにあたり、該脚片を、ドラムに巻装されたシャッターカーテンに干渉することがないようドラムの外径よりも内側に位置して設けられたものとしてドラムの外径からはみ出す部分がないものとし、前記シャッターカーテンを、電動モータユニットのドラムから突出する一端側部を越えて支持ブラケット側に突出するように構成した建築用開閉装置における巻取り装置である。
請求項２の発明は、連結部材は、電動モータの一端側面に固定され、固定軸支持部に沿う脚片が形成された第一連結部材と、支持ブラケットに固定され、固定軸支持部に沿う脚片が形成される第二連結部材とで構成され、これら連結部材は、各脚片同士が一体化手段を介して固定軸支持部に一体化されている請求項１に記載の建築用開閉装置における巻取り装置である。
請求項３の発明は、連結部材は、支持ブラケットに固定され、固定軸支持部に沿って配される脚片と、支持ブラケットのブラケット面と平行で、かつ、支持ブラケットに形成される固定軸支持部の他端側に位置するベース片と、電動モータの一端側部に回り止め状に嵌着するモータ固定片とを備えて構成されている請求項１に記載の建築用開閉装置における巻取り装置である。
請求項４の発明は、連結部材は、固定軸支持部に嵌合支持される軸部が形成されている請求項３に記載の建築用開閉装置における巻取り装置である。
【課題を解決するための手段】
【０００６】
本発明は、上記の如き実情に鑑みこれらの課題を解決することを目的として創作されたものであって、請求項１の発明は、ドラムと該ドラムを回転自在に軸承する固定軸とを備えた手動式巻取り装置を、シャッターカーテンが巻装され、ドラムの一端部に電動モータが相対回転自在に内装された電動式巻取り装置に取換えて、手動式から電動式に変更した開閉装置において、前記電動式巻取り装置のドラムの左右方向一端から突出する電動モータユニットの一端側部を、固定軸支持部が形成された手動式巻取り装置用の支持ブラケットに、該固定支持部に沿って配される脚片を備えた連結部材を介して支持するにあたり、該脚片が、シャッターカーテンに干渉することがないようドラムの外径よりも内側に位置して設けられたものとして、前記シャッターカーテンを、電動モータユニットのドラムから突出する一端側部を越えて支持ブラケット側に突出するように構成されている前記シャッターカーテンが設けられている建築用開閉装置における巻取り装置である。
請求項２の発明は、連結部材は、電動モータの一端側面に固定され、固定軸支持部に沿う脚片が形成された第一連結部材と、支持ブラケットに固定され、固定軸支持部に沿う脚片が形成される第二連結部材とで構成され、これら連結部材は、各脚片同士が一体化手段を介して固定軸支持部に一体化されている請求項１に記載の建築用開閉装置における巻取り装置である。
請求項３の発明は、連結部材は、支持ブラケットに固定され、固定軸支持部に沿って配される脚片と、支持ブラケットのブラケット面と平行で、かつ、支持ブラケットに形成される固定軸支持部の他端側に位置するベース片と、電動モータの一端側部に回り止め状に嵌着するモータ固定片とを備えて構成されている請求項１に記載の建築用開閉装置における巻取り装置である。
請求項４の発明は、連結部材は、固定軸支持部に嵌合支持される軸部が形成されている請求項３に記載の建築用開閉装置における巻取り装置である。
【発明の効果】
【０００７】
請求項１の発明とすることにより、支持ブラケットばかりでなく、シャッターカーテンやガイドレールについても既設のものをそのまま用いることができて、手動式から電動式への変更が容易になる。
請求項２の発明とすることにより、固定軸支持部を第一、第二連結部材を連結する部材として用いることができ、第一、第二連結部材の確実な固定ができるうえ、支持ブラケットへ作用する荷重を分散することができて、支持ブラケットを補強することなく第一、第二連結部材をコンパクト化することができる。
請求項３の発明とすることにより、部品点数を削減できるうえ、巻取り装置の支持ブラケットへの装着作業が容易になる。
請求項４の発明とすることにより、巻取り装置を精度よく設置することができるうえ、支持ブラケットに作用する負荷が分散されて、支持ブラケットを補強することなく連結部材をコンパクト化することができる。
【図面の簡単な説明】
【０００８】
【図１】手動式から電動式に取換えられたシャッター装置の斜視図である。
【図２】図２（Ａ）、（Ｂ）はそれぞれ支持ブラケットの側面図、正面図である。
【図３】巻取り装置の支持ブラケットへの支持状態を説明する一部を切欠いた平面図である。
【図４】図４（Ａ）、（Ｂ）はそれぞれ電動モータの正面図、側面図である。
【図５】図５（Ａ）、（Ｂ）、（Ｃ）はそれぞれ第一連結部材の平面図、側面図、正面図である。
【図６】図６（Ａ）、（Ｂ）はそれぞれ電動モータに第一連結部材を取付けた状態を説明する平面図、側面図である。
【図７】図７（Ａ）、（Ｂ）、（Ｃ）はそれぞれ第二連結部材の平面図、側面図、正面図である。
【図８】図８（Ａ）、（Ｂ）はそれぞれ巻取り装置の一部を拡大した平面図である。
【図９】図９（Ａ）、（Ｂ）はそれぞれ第二の実施の形態の連結部材の側面図、平面図である。
【図１０】第二の実施の形態における巻取り装置の一部を拡大した平面図である。
【発明を実施するための最良の形態】
【０００９】
次に、本発明の第一の実施の形態を図面に基づいて説明する。
図面において、１は住宅の窓部（躯体開口部）に設けられたシャッター装置のシャッターカーテン１であって、該シャッターカーテン１は、複数枚のスラット１ａを上下方向に回動自在に連結して構成されている。そして、シャッターカーテン１は、上端縁部が開口部上方の躯体側に設けたシャッターケース２に回動自在に内装された巻取り装置３に左右方向複数の連結金具１ｂを介して連結されており、巻取り装置３に巻取られて開口部を開放する全開姿勢と、巻取り装置３から巻出されて開口部を閉鎖する全閉姿勢とに変姿するように設定されている。
尚、シャッターカーテン１は、左右両側部が開口部の左右両側に立設されたガイドレール４に移動案内されるように設定されており、これらの基本構成は何れも従来通りとなっている。
【００１０】
ところで、本実施の形態のシャッター装置は、既設の手動式のシャッター装置から手動式巻取り装置を取外し、電動式の巻取り装置３に取換えることで、電動式のシャッター装置に変更されたものに構成されている。そのため、シャッターケース２を構成する左右側板に相当する左右一対の支持ブラケット２ａは、手動式のシャッター装置に対応しており、互いに対向する内側面にＵ字形の固定軸支持部（ポケット）２ｂがそれぞれ内側に向けて突出形成されたものに構成されている。
因みに、手動式の巻取り装置は、前述したように、固定軸と該固定軸に回動自在に外嵌するドラムとにより構成されており、左右の固定軸を支持ブラケット２ａの固定軸支持部２ｂに嵌合支持させ、それぞれ屋内外方向貫通状に形成された固定軸の貫通孔と固定軸支持部２ｂの貫通孔２ｄとにボルトを挿通し、該挿通先端部にナットを緊締して固定軸を固定軸支持部２ｂに固定支持することで、巻取り装置の支持ブラケット２ａへの支持がなされるように構成されている。
【００１１】
前記巻取り装置３は、前述したように電動式であり、左右方向（軸方向）一端部（本実施の形態では、図３において右側）に配される電動モータユニット５と、左右方向他端部（左端部）に配される固定軸ユニット６と、これら各ユニット５、６に対して回動自在に外嵌するドラム７とを備えて構成されている。
前記電動モータユニット５は、金属製のケーシングに収容された電動モータ５ａを備えて構成されており、該電動モータ５ａの他端側からは、出力軸５ｂが突出配設されている。そして、前記出力軸５ｂには駆動ホール８が連動連結されており、電動モータ５ａの駆動に伴い、出力軸５ｂと駆動ホイール８とが一体回転するように構成されている。さらに、前記電動モータ５ａの一端側の外周には従動ホイール８ａが回動自在に外嵌されている。
一方、前記固定軸ユニット６は、電動モータ５ａの出力軸５ｂと同芯状となる軸部６ａを備えて構成されており、手動式巻取り装置と同様に、前記軸部６ａの他端側部が左側の支持ブラケット２ａに形成された固定軸支持部２ｂに固定支持されるように構成されている。また、固定軸ユニット６の軸部６ａの一端側部における外周には、左右に隣接する二つの従動ホイール８ａがそれぞれ回動自在に外嵌されている。
そして、前記ドラム７は、電動モータユニット５に配される従動ホイール８ａと、固定軸ユニット６に配される従動ホイール８ａとにそれぞれ外嵌して支持されており、ドラム７の内周面を電動モータユニット５の出力軸５ｂに設けた駆動ホイール８に連動連結することにより、電動モータ５ａの駆動に連動して正逆回転するように構成されている。
【００１２】
また、前記巻取り装置３の電動モータユニット５は、一端側部５ｃがドラム７の一端側から外方（一端側）に突出しているが、該一端側部５ｃは、ドラム７の外径よりは小径であるが、電動モータユニット５の他端側部位の外径よりは大径に形成されており、複数の突部５ｄが周回り方向に複数形成されている。さらに、一端側部５ｃには、一端側から螺入可能な螺子孔５ｅが上下二箇所に設けられている。
そして、前記電動モータユニット５の一端側部５ｃにおける一端側面５ｆに、本発明の第一連結部材９が固定されている。
前記第一連結部材９は、上下方向に長い長方形状に形成され、電動モータユニット５の一端側面５ｆに突き当てられるモータ固定片９ａと、該モータ固定片９ａの屋内外の両側縁部から支持ブラケット２ａ側（一端側）に突出し、固定軸支持部２ｂの屋内外に沿って配される一対の第一脚片９ｂと、モータ固定片９ａの上縁部から支持ブラケット２側に突出し、該突出先端を下方に折曲することでＬ字形に形成される係止片９ｃとを備えて構成されている。そして、第一連結部材９は、モータ固定片９ａを電動モータ一端側面５ｆに突き当て、モータ固定片９ａに形成された上下二箇所の貫通孔９ｄを、電動モータユニット一端側部５ｃに形成された螺子孔５ｅに位置合わせし、貫通孔９ｄ側から挿通した螺子９ｅを螺子孔５ｅに螺入することにより、電動モータユニット５に一体的に固定されている。このとき、第一連結部材９はドラム７の外径よりも内側に位置する大きさに設定されており、電動モータユニット一端側部５ｃに取付けた状態で、第一連結部材９がドラム７の外径からはみ出すことがなく、また、第一脚片９ｂの対向間隔は、支持ブラケット２ａに設けられる固定軸支持部２ｂの屋内外方向幅よりも広くなるように設定されている。
【００１３】
一方、右側（一端側）の支持ブラケット２ａは、前述したように、手動式巻取り装置用のままであり、固定軸支持部２ｂが他端側（左側）に向けて突出形成されており、該支持ブラケット２ａに、本発明が実施された第二連結部材１０が固定されている。
前記第二連結部材１０は、右側支持ブラケット２ａのブラケット面と平行となり、電動モータ５ａに設けた第一連結部材９のモータ固定片９ａに突き当てられるとともに、上端縁部に係止片９ｃが係止するベース片１０ａを備えて構成されている。前記ベース片１０ａの屋内外の両側縁部には、一端側に突出し、固定軸支持片２ｂの屋内外に沿って配される一対の第二脚片１０ｂが形成されており、これら第二脚片１０ｂの突出端部には、それぞれ屋内外方向に延出するブラケット固定片１０ｃが形成されている。そして、第二連結部材１０の第二脚片１０ｂの左右方向長さは、右側支持ブラケット２ａの固定軸支持部２ｂの左右方向長さよりも長く形成されており、ブラケット固定片１０ｃを右側支持ブラケット２ａに突き当ててリベット１０ｄにより固定することにより、ベース片１０ａが固定軸支持部２ｂの他端側に位置するように設定されている。さらに、第二連結部材１０のベース片１０ａには、一端側に突出する軸部１０ｅが形成されており、該軸部１０ｅを支持ブラケット固定軸支持部２ｂに嵌合支持させた状態で固定することにより、第二連結部材１０が支持ブラケット２ａに対して位置決めされた状態となるように設定されている。
そしてこのものにおいて、第二連結部材１０は、後述するように、第一、第二連結部材９、１０を用いて巻取り装置３の一端部を右側支持ブラケット２ａに支持させた状態におて、電動式巻取り装置３のドラム７の外径よりも内側に位置する大きさに設定され、第二連結部材１０がドラム７の外径からはみ出すことがなく、また、第二脚片１０ｂは、支持ブラケット２ａに設けられる固定軸支持部２ｂの屋内外に外嵌する対向間隔を備えて構成されており、前記第一脚片９ｂの対向間隔は、第二脚片１０ｂに外嵌する間隔となるように設定されている。
【００１４】
そして、電動式の巻取り装置３の軸方向一端側においては、第一連結部材９の第一脚片９ｂを右側支持ブラケット２ａに固定される第二連結部材１０の脚片１０ｂに外嵌させ、係止片９ｃを第二連結部材ベース片１０ａの上端縁に係止させるように組込むことにより、支持ブラケット２ａの固定軸支持部２ｂが邪魔することなく一端側における支持ブラケット２ａへの仮支持がなされる一方、軸方向他端側においては、固定軸ユニット６の軸部６ａを左側支持ブラケット２ａの固定軸支持部２ｂに嵌合支持させることにより、仮保持状に組込まれるように構成されている。この状態において、第一、第二連結部材９、１０とは、係止片９ｃがベース片１０ａに係止することで上下方向の位置決めがなされ、第一脚片９ｂが第二脚片１０ｂに外嵌することで屋内外方向の位置決めがなされた状態で連結され、これによって、巻取り装置３を左右の支持ブラケット２ａに支持した状態で、他端側の固定軸ユニット軸部６ａと、一端側の電動モータ５ａの出力軸５ｂとの軸芯合わせされるように構成されている。
このとき、第一、第二連結部材９、１０は、第一連結部材モータ固定片９ａと第二連結部材ベース片１０ａとが当接する状態で組込まれるように構成されており、このため、ベース片１０ａには、モータ固定片９ａを電動モータ一端側部５ｃに固定するための螺子９ｅとの干渉を回避する貫通孔１０ｆが開設される構成となっているが、モータ固定片９ａとベース片１０ａとが離間する状態で組込まれるように設定することも可能である。
【００１５】
そして、前記仮組込み状態において、巻取り装置３の他端側の固定軸ユニット６側においては、手動式の巻取り装置と同様に、連通状に開設された軸部６ａの貫通孔と固定軸支持部２ｂの貫通孔２ｄとにボルト１１を挿通し、該ボルト１１の挿通先端部にナット１１ａを緊締することにより軸部６ａが固定軸支持部２ｂに固定され、固定軸ユニット６側の支持ブラケット２ａへの固定支持がなされるように構成されている。
一方、巻取り装置３の一端側の電動モータユニット５側においては、図８（Ａ）から明らかなように、右側の支持ブラケット２ａの固定軸支持部２ｂの貫通孔２ｄと、第一連結部材９の第一脚片９ｂの貫通孔９ｆと、第二連結部材１０の第二脚片１０ｂの貫通孔１０ｇと、第二連結部材軸部１０ｅの貫通孔とがそれぞれ連通状に開設されており、これら貫通孔に、一体化手段に相当する割りピン１２を挿通することにより、第一、第二連結部材９、１０が固定軸支持部２ｂに固定され、電動モータユニット５側の支持ブラケット２ａへの固定支持がなされるように構成されている。
そして、電動モータ５ａが駆動した場合に、電動モータユニット５は、割りピン１２による固定とともに第一連結部材係止片９ｃが第二連結部材ベース片１０ａに係止することにより回り止めされる状態で支持ブラケット２ａに支持されるように設定されている。このとき、第二連結部材１０には、シャッターカーテン１と巻取りドラム３との荷重がかかっており、該荷重は、第二連結部材１０から支持ブラケット２ａ側に作用することになるが、第二連結部材１０は、第二脚片１０ｂに設けた四つのブラケット固定片１０ｃが支持ブラケット２ａに連結されるとともに、第二脚片１０ｂが固定軸支持部２ｂに割りピン１２を介して連結されており、これら連結部位を介して第二連結部材１０の荷重が支持ブラケット２ａに作用することにより、支持ブラケット２ａに作用する荷重が分散されるように設定されている。さらにこのものにおいて、第二連結部材１０には軸部１０ｅが形成され、該軸部１０ｅが固定軸支持部２ｂに嵌合支持されているので、第二連結部材１０が受ける荷重は、軸部１０ｅと固定軸支持部２ｂとの広い接触面積を介して受けることになり、第二連結部材１０からの荷重が一層分散されて支持ブラケット２ａに作用させることができ、支持ブラケット２ａを補強することなく強度アップ状態となり、これによって、第一、第二連結部材９、１０をドラム７の外径よりも内側に位置するようなコンパクトな形状としても、支持ブラケット２ａに作用する荷重が集中して支持ブラケットを変形させるような不具合を防止できるように構成されている。
ここで、本実施の形態では、第一、第二脚片９ｂ、１０ｂ、第二連結部材軸部１０ｅとを固定軸支持部２ｂに一体化する一体化手段として割りピン１２を用いているが、図８（Ｂ）に示すように、割りピン１２に換えてボルト１４とナット４ａとを用いる構成としてもよい。
【００１６】
このものにおいて、前記第一、第二連結部材９、１０は、巻取り装置３を構成するドラム７の外径よりも内側に位置して設けられており、ドラム７の外径からはみ出すことがないように設定されている。このため、ドラム７に連結されるシャッターカーテン１を、手動式のシャッター装置において用いられるシャッターカーテンと同様に、支持ブラケット２ａに近接する左右幅を有したものとして、図３から明らかなように、巻取り装置３に巻装されたシャッターカーテン１を電動モータユニット５の前記一端側部５ｃを越えて支持ブラケット２ａ側に突出するように構成しても、該シャッターカーテン１が第一、第二連結部材９、１０に干渉することがなく、これによって、手動式から電動式の巻取り装置３に取換える場合に、支持ブラケット２ａだけでなく、シャッターカーテン１と、該シャッターカーテン１を移動案内するガイドレール４とをそのまま用いることができて、手動式から電動式に変更するための工事が一層簡単になるように構成されている。
尚、電動モータ５ａから引出される配線５ｇは、電動モータ一端側部５ｃの外周面から引出され、右側の支持ブラケット２ａに開設された貫通孔２ｃを介して外部に引出されるように構成されており、該引出された配線５ｇは、シャッターケース２の右側面（右側支持ブラケット２ａの一端側面）に設けた中継器１３に接続され、該中継器１３から引出された配線１３ａが、図示しない電源に接続されるように構成されており、この場合に、配線５ｇはドラム７の内径よりも内側において引出されるように構成されている。
因みに、電動モータ５の配線５ｇの外部への引出しは、第一連結部材モータ固定片９ａと第二連結部材ベース片１０ａとに第二連結部材軸部１０ｅの軸孔に連通する貫通孔を形成し、該貫通孔から支持ブラケット２ａのＵ字状の固定軸支持部２ｂの内側に形成した引出し孔を経由して外部に引出すように構成することも可能である。
【００１７】
叙述の如く構成された本発明の実施の形態において、手動式のシャッター装置を電動式のシャッター装置に取換える場合に、電動式の巻取り装置３の電動モータユニット５側については、電動モータユニット５側に設けられ、固定軸支持部２ｂに沿う第一脚片９ｂが形成された第一連結部材９を、支持ブラケット２ａ側に設けられ、固定軸支持部２ｂに沿う第二脚片１０ｂが形成された第二連結部材１０に連結することで、支持ブラケット２ａに支持固定させる構成となっているが、このものでは、第一、第二連結部材９、１０は、ドラム７の外径よりも内側に位置する形状となっていて、第一、第二連結部材９、１０がドラム７の外径からはみ出すことがない。このため、第一、第二連結部材９、１０がドラム７に巻装されるシャッターカーテン１の巻形の内側に位置することになって、シャッターカーテン１の左右幅を、手動式のシャッター装置に設けられるもののように支持ブラケット２ａに近接する長さとした場合であっても、ドラム７に巻装されたシャッターカーテン１が第一、第二連結部材９、１０に干渉して、第一、第二連結部材９、１０配設部位にシャッターカーテン１を巻装することができなくなるようなことがない。この結果、固定軸支持部２ｂが形成されている既設の支持ブラケット２ａばかりでなく、シャッターカーテン１やガイドレール４についても手動式において用いられたものをそのまま用いることができて、手動式から電動式への取換え作業を一層容易に行うことができる。
【００１８】
そして、このものでは、第一連結部材９の係止片９ｃを、支持ブラケット２ａ側に設けた第二連結部材１０のベース片１０ａに係止させ、固定軸支持部２ｂに沿って配された第一、第二脚片９ｂ、１０ｂを、固定軸支持部２ｂに一体的に連結することで、電動モータユニット５側の支持ブラケット２ａへの支持固定がなされており、固定軸支持部２ｂを、第一、第二連結部材９、１０を連結するための部材として利用することができて、別途連結部材を用いることなく第一、第二連結部材９、１０を確実に連結することができる。
さらに、第一、第二連結部材９、１０は、第一、第二脚片９ｂ、１０ｂが割りピン１２等の一体化手段を介して固定軸支持部２ｂに連結されていて、巻取り装置３の荷重が第二連結部材１０から支持ブラケット２ａに作用するが、該荷重は、支持ブラケット２ａと第二連結部材１０との連結部であって、ブラケット固定片１０ｃとの連結部と、さらには、第二脚片１０ｂと固定軸支持部２ｂとの割りピン１２を介した連結部とにより分散された状態で支持ブラケット２ａに作用することになり、第一、第二連結部材９、１０をドラム７の外径よりも小径となるようにコンパクト化しても荷重が集中して作用することがなく、支持ブラケット２ａを格別補強することなく強度アップが図られた状態となって、支持ブラケット２ａが変形するような不具合を回避できる。
しかも、第二連結部材１０には、固定軸支持部２ｂに嵌合支持される軸部１０ｅが設けられているため、該軸部１０ｅを基準として支持ブラケット２ａに固定することにより、第二連結部材１０を支持ブラケット２ａに対して位置決めすることができて、精度よく巻取り装置３を設置することができるうえ、第二連結部材１０が受ける荷重を、軸部１０ｅと固定軸支持部２ｂとの接触面積の大きい嵌合支持部でも受けることができて、支持ブラケット２ａへの荷重の分散を一層効果的に図ることができる。
【００１９】
尚、本発明は前記実施の形態に限定されないことは勿論であって、図９に示す第二の実施の形態のようにすることができる。
前記第二の実施の形態は、巻取り装置３の一端側部を支持ブラケット２ａに支持するための連結部材１５以外の構成は、前記第一の実施の形態と同様の構成となっており、該同様の構成についての説明は、第一の実施の形態と同様の符号を付すことにより省略する。
第二の実施の形態の連結部材１５は、右側支持ブラケット２ａに固定されるブラケット固定片１５ａを備え、固定軸支持部２ｂの屋内外に位置して延出する屋内外一対の脚片１５ｂと、これら脚片１５ｂの他端側を連結する状態で設けられ、右側支持ブラケット２ａのブラケット面と平行となるベース片１５ｃと、該ベース片１５ｃに一体的に設けられ、電動モータの一端側部５ｃに回り止め状に嵌着するモータ固定片１５ｄと、ベース片１５ｃから一端側に向けて突出し、支持ブラケット２ａの固定軸支持部２ｂに嵌合支持される軸部１５ｅとにより構成されている。そして、このものにおいても、脚片１５ｂを支持ブラケット２ａの固定軸支持部２ｂの左右方向長さよりも長く設定することにより、ベース片１５ｃが支持ブラケット２ａの固定軸支持部２ｂの他端側に位置し、固定軸支持部２ｂに軸部１５ｅが嵌合支持されるように構成され、手動式に用いられる支持ブラケット２ａをそのまま用いることができるように構成されている。
ここで、前記モータ固定片１５ｄは、電動モータ５ａの一端側部５ｃに嵌着する有底筒状の嵌着部１５ｆと、電動モータ一端側部５ｃの外周面に形成される周回り方向複数の突部５ｄのあいだに位置する凹部５ｈにそれぞれ嵌入する複数の爪部１５ｇとにより構成されており、電動モータ一端側部５ｃを爪部１５ｇを弾性変形させる状態で嵌着部１５ｆに押し込むことにより、電動モータ一端側部５ｃがモータ固定片１５ｄとに嵌着されるように構成されており、この状態において、爪部１５ｇが突部５ｄの間に嵌入することで、モータ固定片１５ｄと電動モータ一端側部５ｃとが回り止めされるように構成されている。
【００２０】
そして、連結部材１５は予め右側支持ブラケット２ａに固定されており、巻取り装置３のドラム７の一端側から突出する電動モータ一端側部５ｃをモータ固定片１５ｄに嵌着することにより、電動モータユニット５側の支持ブラケット２ａへの支持固定ができるように構成され、支持ブラケットを取換える等の工事をすることなく、簡単、かつ、容易に手動式巻取り装置から電動式巻取り装置３に取換えられるように構成されている。尚、このものにおいて、連結部材１５と電動モータ一端側部５ｃとの間に抜止め手段を設けることが好ましく、本実施の形態の抜止め手段としては、爪部１５ｇに形成された切欠き部１５ｈと、電動モータ一端側部５ｃの突部５ｄの頂部に形成された凹部５ｈとに、弾性を備えた止め輪１６を嵌着することにより、連結部材１５（モータ固定片１５ｄ）が電動モータ一端部５ｃから抜け止めされるように構成されている。
【００２１】
そして、連結部材１５は、前記各実施の形態と同様に、ドラム７の外径よりも内側に位置するように形成されているので、支持ブラケット２ａばかりでなく、シャッターカーテン、ガイドレールについても手動式のものをそのまま用いることができて、手動式から電動式への変更作業が一層容易にすることができ、また、軸部１５ｅが固定軸支持部２ｂに嵌合支持されることで、巻取り装置３を精度よく設置できるとともに、支持ブラケット２ａへ作用する荷重の分散化がなされて、支持ブラケット２ａを補強することなく、連結部材１５のコンパクト化を図ることが可能となる。
尚、このものでは、ベース片１５ｃ、嵌着部１５ｆには軸部１５ｅの筒孔に連通する貫通孔１５ｉが開設されており、電動モータ５ａの配線５ｇを、前記筒孔、貫通孔１５ｉを介して支持ブラケット２ａの外部に引出すことができるように構成されている。
尚、電動モータの形状は、前記第一、第二の実施の形態のものに限定されることはない。このため、連結部材に形成されるモータ固定片は、電動モータ一端側部の形状に対応して回り止めする構成が必要となるが、その場合に、電動モータ一端部側に回り止めする突部が形成されていないようなものでは、電動モータ側に係止片を設ける一方、モータ固定片側に前記係止片に周回り方向から係止する係止受け片を形成する等の構成が考えられる。
【符号の説明】
【００２２】
１    シャッターカーテン
２    シャッターケース
２ａ    支持ブラケット
２ｂ    固定軸支持部
３    巻取り装置
５    電動モータユニット
６    固定軸ユニット
７    ドラム
８    駆動ホイール
９    第一連結部材
９ｂ    第一脚片
９ｃ    係止片
１０    第二連結部材
１０ａ    ベース片
１０ｂ    第二脚片
１０ｅ    軸部
１２    割りピン
【図１】
0005624182.tif 000002
【図２】
0005624182.tif 000003
【図３】
0005624182.tif 000004
【図４】
0005624182.tif 000005
【図５】
0005624182.tif 000006
【図６】
0005624182.tif 000007
【図７】
0005624182.tif 000008
【図８】
0005624182.tif 000009
【図９】
0005624182.tif 000010
【図１０】
0005624182.tif 000011